(57)【要約】【課題】３相交流発電機が発電した各相の交流電力を縦方向及び横方向に複数並べられている各出力部からバランス良く取出すことができるエンジン発電機を提供すること。【解決手段】エンジン発電機は、ケーシングの正面板に配置されたコンセント出力部４０に負荷機器を接続して３相交流発電機が発電した電力を取出すことができる。コンセント出力部４０には、Ｕ相とＶ相とＷ相の交流電力を取出ためのＵ相出力部とＶ相出力部とＷ相出力部が横方向に並び、第１〜第４Ｕ相出力部ｕ１〜ｕ４が縦方向に並び、第１〜第４Ｖ相出力部ｖ１〜ｖ４が縦方向に並び、第１〜第４Ｗ相出力部ｗ１〜ｗ４が縦方向に並んでいる。このコンセント出力部４０には、横方向に沿って負荷機器を接続するように視覚工夫構造があり、各出力部に異なる数字が記載され、それら数字が横方向に並ぶ中で右側に向かうに従って順番に大きく、縦方向に並ぶ中で上側に向かうに従って大きくなっている。【選択図】  図９
2014168339.tif 000002
【特許請求の範囲】
【請求項１】
ケーシングの内部にエンジンと発電機とが収容されていて、前記エンジンの駆動により前記発電機が発電して、前記ケーシングの一面に配置されたコンセント出力部に負荷機器を接続することにより前記発電機が発電した電力を取出すことができるエンジン発電機において、
前記発電機は、Ｕ相とＶ相とＷ相の交流電力を発電する３相交流発電機であり、
前記コンセント出力部は、縦方向及び横方向に複数の出力部を並べたものであり、Ｕ相の交流電力を取出すためのＵ相出力部とＶ相の交流電力を取出すためのＶ相出力部とＷ相の交流電力を取出すためのＷ相出力部のうち２つ又は３つの出力部を縦方向又は横方向の何れか一方向に並べ、且つ前記並べた各出力部を縦方向又は横方向の何れか他方向に３つ以上並べていて、
前記各出力部の何れかに負荷機器を接続する人に対して、前記一方向に沿って負荷機器を接続するように接続順番を視覚的に意識させる視覚工夫構造があることを特徴とするエンジン発電機。
【請求項２】
請求項１に記載されたエンジン発電機において、
前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であることによって、構成されていることを特徴とするエンジン発電機。
【請求項３】
請求項１に記載されたエンジン発電機において
前記視覚工夫構造は、前記一方向に並べられた各出力部を１つのグループとして、それら各グループを斜めに平行に配置することによって、構成されていることを特徴とするエンジン発電機。
【請求項４】
請求項１に記載されたエンジン発電機において、
前記視覚工夫構造は、前記一方向に並べられた各出力部を１つのグループとして、それら各グループを区別するために異なる数字又は色彩或いは模様を付けることによって、構成されていることを特徴とするエンジン発電機。
【請求項５】
請求項１に記載されたエンジン発電機において、
前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であると共に、前記一方向に並べられた各出力部を１つのグループとして、それら各グループを斜めに平行に配置することによって、構成されていることを特徴とするエンジン発電機。
【請求項６】
請求項１に記載されたエンジン発電機において、
前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であると共に、前記一方向に並べられた各出力部を１つのグループとして、それら各グループを区別するために異なる数字又は色彩或いは模様を付けることによって、構成されていることを特徴とするエンジン発電機。
【請求項７】
請求項１に記載されたエンジン発電機において、
前記視覚工夫構造は、前記一方向に並べられた各出力部を１つのグループとして、それら各グループを斜めに平行に配置すると共に、それら各グループを区別するために異なる数字又は色彩或いは模様を付けることによって、構成されていることを特徴とするエンジン発電機。
【請求項８】
請求項２乃至請求項７の何れかに記載されたエンジン発電機において、
前記一方向に並べられた各出力部の周りには、前記一方向の一方側から他方側に向かう矢印が記載されていることを特徴とするエンジン発電機。
【発明の詳細な説明】
【技術分野】
【０００１】
本発明は、エンジン発電機に関し、特に、発電した電力を取出すことができる出力部が縦方向及び横方向に複数並べられているエンジン発電機に関する。
【背景技術】
【０００２】
エンジン発電機は、ケーシングの内部にエンジンと発電機とを収容していて、エンジンの駆動により発電機が発電する。そして、発電機が発電した電力は、ケーシングの或る一面に配置されたコンセント出力部から外部へ供給できるようになっている。このようなエンジン発電機は、例えば、本出願人が提案した下記特許文献１に記載されたものがある。
【０００３】
図６１に示すように、下記特許文献１に記載されたエンジン発電機１０１は、ケーシング１１０の側面１１１にコンセント出力部１４０を有している。このコンセント出力部１４０では、発電機１３０が発電した単相の交流電力を取出すために、縦方向に２つ並び且つ横方向に２つ並ぶ出力部１４０ａ，１４０ｂ，１４０ｃ，１４０ｄが設けられている。このため、このエンジン発電機１０１は、照明器具、電動工具、事務機械等の負荷機器の電源として使用することができ、例えば電動工具のプラグを合計４つの出力部１４０ａ，１４０ｂ，１４０ｃ，１４０ｄのうち何れかの出力部に接続することで、発電した交流電力を電動工具に供給できるようになっている。
【先行技術文献】
【特許文献】
【０００４】
【特許文献１】特開２０１２−１０５４７２号公報
【発明の概要】
【発明が解決しようとする課題】
【０００５】
ところで、本出願人は、３相交流発電機でＵ相とＶ相とＷ相の交流電力を発電し、Ｕ相の交流電力を取出すためのＵ相出力部とＶ相の交流電力を取出すためのＶ相出力部とＷ相の交流電力を取出すためのＷ相出力部を縦方向又は横方向の何れか一方向に並べ、且つ前記各出力部が縦方向又は横方向の何れか他方向に３つ以上並べたエンジン発電機を考案している。このエンジン発電機によれば、多くの負荷機器を各出力部に接続することができて、使用者の利便性を向上させることができる。しかしながら、このエンジン発電機には、以下の問題点があった。
【０００６】
即ち、各出力部が多く設けられているため、使用者は任意で各出力部の何れかに負荷機器を接続する。このため、例えば、使用者が３つ以上並べられたＵ相出力部のみに複数の負荷機器を接続してＵ相の交流電力を取出すと、発電機に生じる負荷がＵ相に偏ることになる。このとき、仮に、複数の負荷機器をＵ相出力部とＶ相出力部とＷ相出力部にバランス良く接続すれば問題なく交流電力を取出せる状況であっても、上記した場合には、発電機の発電容量を十分に使用することができずに、交流電力を取出すことができない事態が生じるおそれがある。また、Ｕ相とＶ相とＷ相の各電圧がアンバランスになって、発電機の使用に支障が出るおそれがある。
【０００７】
そこで、本発明は上記した課題を解決するためになされたものであり、３相交流発電機が発電した各相の交流電力を縦方向及び横方向に複数並べられている各出力部からバランス良く取出すことができるエンジン発電機を提供することを目的とする。
【課題を解決するための手段】
【０００８】
本発明に係るエンジン発電機は、ケーシングの内部にエンジンと発電機とが収容されていて、前記エンジンの駆動により前記発電機が発電して、前記ケーシングの一面に配置されたコンセント出力部に負荷機器を接続することにより前記発電機が発電した電力を取出すことができるものであって、前記発電機は、Ｕ相とＶ相とＷ相の交流電力を発電する３相交流発電機であり、前記コンセント出力部は、縦方向及び横方向に複数の出力部を並べたものであり、Ｕ相の交流電力を取出すためのＵ相出力部とＶ相の交流電力を取出すためのＶ相出力部とＷ相の交流電力を取出すためのＷ相出力部のうち２つ又は３つの出力部を縦方向又は横方向の何れか一方向に並べ、且つ前記並べた各出力部を縦方向又は横方向の何れか他方向に３つ以上並べていて、前記各出力部の何れかに負荷機器を接続する人に対して、前記一方向に沿って負荷機器を接続するように接続順番を視覚的に意識させる視覚工夫構造があることを特徴とする。
【０００９】
具体的に、本発明に係るエンジン発電機において、前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であることによって、構成されていることが好ましい。
又は、前記視覚工夫構造は、前記一方向に並べられた各出力部を１つのグループとして、それら各グループを斜めに平行に配置することによって、構成されていても良い。
或いは、前記視覚工夫構造は、前記一方向に並べられた各出力部を１つのグループとして、それら各グループを区別するために異なる数字又は色彩或いは模様を付けることによって、構成されていても良い。
【００１０】
また、本発明に係るエンジン発電機において、前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であると共に、前記一方向に並べられた各出力部を１つのグループとして、それら各グループを斜めに平行に配置することによって、構成されていても良い。
又は、前記視覚工夫構造は、前記各出力部にそれぞれ異なる数字を記載して、それらの数字が前記一方向に並ぶ中で一方側に向かうに従って順番に大きくなり、且つ前記他方向に並ぶ中で一方側に向かうに従って大きくなる値であると共に、前記一方向に並べられた各出力部を１つのグループとして、それら各グループを区別するために異なる数字又は色彩或いは模様を付けることによって、構成されていても良い。
或いは、前記視覚工夫構造は、前記一方向に並べられた各出力部を１つのグループとして、それら各グループを斜めに平行に配置すると共に、それら各グループを区別するために異なる数字又は色彩或いは模様を付けることによって、構成されていても良い。
更に、本発明に係るエンジン発電機において、前記一方向に並べられた各出力部の周りには、前記一方向の一方側から他方側に向かう矢印が記載されていていると良い。
【発明の効果】
【００１１】
本発明のエンジン発電機によれば、負荷機器を接続する人が、視覚工夫構造によって、異なる各相の出力部が並んでいる一方向に沿って負荷機器を接続するように、接続順番を意識する。このため、或る１相の出力部に複数の負荷機器が偏って接続されることがなく、発電した各相の交流電力をバランス良く取出すことができる。この結果、発電機の発電容量を十分に使用できない事態を防止できると共に、Ｕ相とＶ相とＷ相の各電圧がアンバランスになって発電機の使用に支障が出ることを防止できる。
【図面の簡単な説明】
【００１２】
【図１】第１実施形態のエンジン発電機を示した斜視図である。
【図２】図１に示したエンジン発電機の正面図である。
【図３】図１に示したエンジン発電機の背面図である。
【図４】図１に示したエンジン発電機の平面図である。
【図５】図１に示したエンジン発電機の左側面図である。
【図６】図１に示したエンジン発電機の右側面図である。
【図７】図２に示したコンセントカバーが閉じられた状態を示した図である。
【図８】第１実施形態においてＵ相とＶ相とＷ相の交流電力が流れる回路と各出力部との関係を模式的に示した図である。
【図９】図２に示したコンセント出力部の拡大図である。
【図１０】第２実施形態のエンジン発電機を示した斜視図である。
【図１１】図１０に示したエンジン発電機の正面図である。
【図１２】図１１に示したコンセント出力部の拡大図である。
【図１３】第３実施形態のエンジン発電機を示した斜視図である。
【図１４】図１３に示したエンジン発電機の正面図である。
【図１５】図１４に示したコンセント出力部の拡大図である。
【図１６】第４実施形態のエンジン発電機を示した斜視図である。
【図１７】図１６に示したエンジン発電機の正面図である。
【図１８】図１７に示したコンセント出力部の拡大図である。
【図１９】第５実施形態のエンジン発電機を示した斜視図である。
【図２０】図１９に示したエンジン発電機の正面図である。
【図２１】図２０に示したコンセント出力部の拡大図である。
【図２２】第６実施形態のエンジン発電機を示した斜視図である。
【図２３】図２２に示したエンジン発電機の正面図である。
【図２４】図２３に示したコンセント出力部の拡大図である。
【図２５】第７実施形態のエンジン発電機を示した斜視図である。
【図２６】図２５に示したエンジン発電機の正面図である。
【図２７】図２６に示したコンセント出力部の拡大図である。
【図２８】第８実施形態のエンジン発電機を示した斜視図である。
【図２９】図２８に示したエンジン発電機の正面図である。
【図３０】図２９に示したコンセント出力部の拡大図である。
【図３１】第９実施形態のエンジン発電機を示した斜視図である。
【図３２】図３１に示したエンジン発電機の正面図である。
【図３３】図３１に示したエンジン発電機の背面図である。
【図３４】図３１に示したエンジン発電機の平面図である。
【図３５】図３１に示したエンジン発電機の左側面図である。
【図３６】図３１に示したエンジン発電機の右側面図である。
【図３７】図３２に示したコンセントカバーが閉じられた状態を示した図である。
【図３８】第９実施形態においてＵ相とＶ相とＷ相の交流電力が流れる回路と各出力部との関係を模式的に示した図である。
【図３９】図３２に示したコンセント出力部の拡大図である。
【図４０】第１０実施形態のエンジン発電機を示した斜視図である。
【図４１】図４０に示したエンジン発電機の正面図である。
【図４２】図４１に示したコンセント出力部の拡大図である。
【図４３】第１１実施形態のエンジン発電機を示した斜視図である。
【図４４】図４３に示したエンジン発電機の正面図である。
【図４５】図４４に示したコンセント出力部の拡大図である。
【図４６】第１２実施形態のエンジン発電機を示した斜視図である。
【図４７】図４６に示したエンジン発電機の正面図である。
【図４８】図４７に示したコンセント出力部の拡大図である。
【図４９】第１３実施形態のエンジン発電機を示した斜視図である。
【図５０】図４９に示したエンジン発電機の正面図である。
【図５１】図５０に示したコンセント出力部の拡大図である。
【図５２】第１４実施形態のエンジン発電機を示した斜視図である。
【図５３】図５２に示したエンジン発電機の正面図である。
【図５４】図５３に示したコンセント出力部の拡大図である。
【図５５】第１５実施形態のエンジン発電機を示した斜視図である。
【図５６】図５５に示したエンジン発電機の正面図である。
【図５７】図５６に示したコンセント出力部の拡大図である。
【図５８】第１６実施形態のエンジン発電機を示した斜視図である。
【図５９】図５８に示したエンジン発電機の正面図である。
【図６０】図５９に示したコンセント出力部の拡大図である。
【図６１】従来のエンジン発電機を示した側面図である。
【発明を実施するための形態】
【００１３】
＜第１実施形態＞
本発明に係るエンジン発電機の各実施形態について、図面を参照しながら説明する。図１は、第１実施形態のエンジン発電機１を示した斜視図であり、図２は、図１に示したエンジン発電機１の正面図であり、図３は、図１に示したエンジン発電機１の背面図である。また、図４は、図１に示したエンジン発電機１の平面図であり、図５は、図１に示したエンジン発電機１の左側面図であり、図６は、図１に示したエンジン発電機１の右側面図である。
【００１４】
図１〜図６に示すように、エンジン発電機１は、床台２の上側に防音構造を有する箱型のケーシング１０と、このケーシング１０の内部に収容されたエンジン２０（図２参照）及び発電機３０（図２参照）とを備えている。そして、このエンジン発電機１では、発電機３０が発生した交流電力をコンセント出力部４０から取出すことができるようになっている。
【００１５】
ケーシング１０は、正面板１１と背面板１２と天井板１３と左側面板１４と右側面板１５とを有し、エンジン２０や発電機３０の他に、図示しない制御盤、ラジエータ、マフラ等を収容している。図２に示すように、正面板１１（ケーシングの一面）の左側には、ヒンジによって開閉可能なコンセントカバー１６が設けられていて、コンセントカバー１６を開けると、コンセント出力部４０が表れるようになっている。一方、図７に示すように、コンセントカバー１６を閉じると、コンセント出力部４０が隠れて、コンセント出力部４０に粉塵等が侵入することや雨水がかかることを防止できる。
【００１６】
また、正面板１１及び背面板１２には、図１〜図３に示すように、ケーシング１０の内部に空気を取り込むための吸気口１１ａ，１２ａが設けられ、天井板１３には、図１及び図４に示すように、ケーシング１０の内部でエンジン２０の駆動によって温まった空気を外部へ排出するための排気口１３ａが設けられている。天井板１３は中央に凹部１３ｂを有し、この凹部１３ｂには、エンジン発電機１をクレーンで吊り上げる際にフックやワイヤを取付けるための吊り金具１３ｃと、エンジン発電機１の搬送時にロープをかけて固定するためのＬ型バー１３ｄが設けられている。左側面板１４の内部の上側には、図１及び図５に示すように、エンジン２０及び発電機３０を制御するための操作盤１４ａが設けられている。操作盤１４ａは、具体的に、エンジン回転数、電流、電圧、冷却水温度等を表示する計器類、エンジン回転数や周波数を設定するスイッチ類、遮断器、警告灯、スタータスイッチ等を有している。
【００１７】
エンジン２０は、発電機３０を駆動させるものである。このエンジン２０は、発電機３０に一体的に接続されていて、出力軸を回転させることによって発電機３０を発電させるようになっている。発電機３０は、Ｕ相とＶ相とＷ相の交流電力を発電する３相交流発電機である。Ｕ相の交流電力とＶ相の交流電力とＷ相の交流電力は、それぞれ位相が１２０度ずつ異なる交流電力であり、電圧が例えば１００Ｖに設定されている。なお、各相の交流電力の電圧は、１００Ｖに限定されるものではなく、適宜変更可能である。発電した各相の交流電力は、コンセント出力部４０から取出されるようになっている。
【００１８】
この第１実施形態のコンセント出力部４０では、図１及び図２に示すように、縦方向に４つの出力部が並び且つ横方向に３つの出力部が並んでいて、合計１２個の出力部が配置されている。各出力部は、照明器具、電動工具、事務機械等の負荷機器のプラグを差し込むコンセント本体４０ａ（図９参照）と、このコンセント本体４０ａを覆うコンセントカバー４０ｂ（図９参照）とを備えて構成されている。なお、コンセント本体４０ａに形成されているプラグを差し込む孔は、アースを付けることができる３つ孔になっているが、アースを付けない２つ孔であっても良く、差し込む孔の形状は適宜変更可能である。ここで、図８は、第１実施形態においてＵ相とＶ相とＷ相の交流電力が流れる回路と各出力部との関係を模式的に示した図である。
【００１９】
図８に示すように、発電機３０が発電したＵ相の交流電力が流れる回路４１には、左側で縦方向に４つ並ぶ出力部が接続されている。これらの出力部を下側から上側に向かって順番に、第１Ｕ相出力部ｕ１、第２Ｕ相出力部ｕ２、第３Ｕ相出力部ｕ３、第４Ｕ相出力部ｕ４と呼ぶことにする。また、Ｖ相の交流電力が流れる回路４２には、左右の真ん中で縦方向に４つ並ぶ出力部が接続されている。これら出力部を下側から上側に向かって順番に、第１Ｖ相出力部ｖ１、第２Ｖ相出力部ｖ２、第３Ｖ相出力部ｖ３、第４Ｖ相出力部ｖ４と呼ぶことにする。同様に、Ｗ相の交流電力が流れる回路４３には、右側で縦方向に４つ並ぶ出力部が接続されている。これらの出力部を下側から上側に向かって順番に、第１Ｗ相出力部ｗ１、第２Ｗ相出力部ｗ２、第３Ｗ相出力部ｗ３、第４Ｗ相出力部ｗ４と呼ぶことにする。こうして、各Ｕ相出力部ｕ１〜ｕ４に負荷機器を接続すると、Ｕ相の交流電力が負荷機器に供給され、各Ｖ相出力部ｖ１〜ｖ４に負荷機器に接続すると、Ｖ相の交流電力が負荷機器に供給され、各Ｗ相出力部ｗ１〜ｗ４に負荷機器を接続すると、Ｗ相の交流電力が負荷機器に供給される。
【００２０】
このエンジン発電機１では、上述したように、１２個の出力部ｕ１〜ｕ４、ｖ１〜ｖ４、ｗ１〜ｗ４が設けられているため、多くの負荷機器を接続することができて、使用者の利便性を向上させることができる。更に、Ｕ相出力部ｕ１〜ｕ４とＶ相出力部ｖ１〜ｖ４とＷ相出力部ｗ１〜ｗ４とが、１つのグループとして縦方向に１列に並んで配置されているため、このエンジン発電機１を管理する側にとって各出力部を管理し易くなっている。しかしながら、出力部ｕ１〜ｕ４、ｖ１〜ｖ４、ｗ１〜ｗ４が多く設けられていることによって、以下の問題点がある。
【００２１】
即ち、使用者は任意で各出力部ｕ１〜ｕ４、ｖ１〜ｖ４、ｗ１〜ｗ４の何れかに負荷機器を接続するため、例えば、４つの負荷機器に交流電力を供給しようとするときに、使用者が４つの負荷機器のプラグをＵ相出力部（第１〜第４Ｕ相出力部ｕ１〜ｕ４）のみに接続する場合が考えられる。この場合、Ｕ相の交流電力のみが取出され、発電機３０に生じる負荷がＵ相に偏ることになる。このとき、４つの負荷機器をＵ相出力部ｕ１〜ｕ４とＶ相出力部ｖ１〜ｖ４とＷ相出力部ｗ１〜ｗ４にバランス良く接続すれば問題なく交流電力を取出せる状況であっても、上記した場合には、発電機３０の発電容量を十分に使用することができずに、交流電力を取出すことができない事態が生じるおそれがある。また、Ｕ相とＶ相とＷ相の各電圧がアンバランスになって、発電機３０の使用に支障が出るおそれがある。
【００２２】
そこで、本実施形態では、Ｕ相とＶ相とＷ相の交流電力がバランス良く取出されるように、負荷機器を接続する人に対して、接続順番を意識させる視覚工夫構造がコンセント出力部４０に設けられている。ここで、図９は、図２に示したコンセント出力部４０の拡大図である。図９に示すように、第１実施形態の視覚工夫構造は、各出力部ｕ１〜ｕ４、ｖ１〜ｖ４、ｗ１〜ｗ４にそれぞれ異なる数字を記載して、それら数字が横方向に並ぶ中で右側に向かうに従って順番に大きくなり、且つ縦方向に並ぶ中で上側に向かって大きくなる値であることによって、構成されている。即ち、第１Ｕ相出力部ｕ１と第１Ｖ相出力部ｖ１と第１Ｗ相出力部ｗ１に順番に「１」「２」「３」が記され、第２Ｕ相出力部ｕ２と第２Ｖ相出力部ｖ２と第２Ｗ相出力部ｗ２に順番に「４」「５」「６」が記され、第３Ｕ相出力部ｕ３と第３Ｖ相出力部ｖ３と第３Ｗ相出力部ｗ３に順番に「７」「８」「９」が記され、第４Ｕ相出力部ｕ４と第４Ｖ相出力部ｖ４と第４Ｗ相出力部ｗ４に順番に「１０」「１１」「１２」が記されている。
【００２３】
第１実施形態の作用効果について説明する。
第１実施形態のエンジン発電機１によれば、負荷機器を接続する人が、横方向のうち右側に向かって負荷機器を接続するように、接続順番を意識する。例えば、４つの負荷機器に交流電力を供給しようとするときに、１つ目の負荷機器のプラグを第１Ｕ相出力部ｕ１に接続し、２つ目の負荷機器のプラグを第１Ｖ相出力部ｖ１に接続し、３つ目の負荷機器のプラグを第１Ｗ相出力部ｗ１に接続し、４つ目の負荷機器のプラグを第２Ｕ相出力部ｕ２に接続するようになる。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００２４】
なお、この第１実施形態の変形例として、各出力部に記載される数字が横方向に並ぶ中で左側に向かって順番に大きくなっていても良い。又は、各出力部に記載される数字が縦方向に並ぶ中で下側に向かって大きくなっていても良い。そして、各出力部に記載される数字は、アラビア数字以外にローマ数字や漢数字であっても良く、また文字の順序（例えばアルファベット順）でも良く、適宜変更可能である。
【００２５】
＜第２実施形態＞
次に、第２実施形態について説明する。図１０は、第２実施形態のエンジン発電機１Ａを示した斜視図であり、図１１は、図１０に示したエンジン発電機１Ａの正面図であり、図１２は、図１１に示したコンセント出力部４０Ａの拡大図である。第２実施形態のエンジン発電機１Ａは、コンセント出力部４０Ａに設けられる視覚工夫構造以外、第１実施形態のエンジン発電機１と同様の構成であるため、対応する部位に同一の符号を付して、その詳細な説明を省略する。
【００２６】
図１２に示すように、第２実施形態の視覚工夫構造は、横方向に並ぶ第１Ｕ相出力部ｕ１と第１Ｖ相出力部ｖ１と第１Ｗ相出力部ｗ１を１つのグループとし、横方向に並ぶ第２Ｕ相出力部ｕ２と第２Ｖ相出力部ｖ２と第２Ｗ相出力部ｗ２を１つのグループとし、横方向に並ぶ第３Ｕ相出力部ｕ３と第３Ｖ相出力部ｖ３と第３Ｗ相出力部ｗ３を１つのグループとし、横方向に並ぶ第４Ｕ相出力部ｕ４と第４Ｖ相出力部ｖ４と第４Ｗ相出力部ｗ４を１つのグループとして、それら各グループを斜め右上に向かって延びるように平行に配置することによって、構成されている。
【００２７】
第２実施形態の作用効果について説明する。
第２実施形態のエンジン発電機１Ａによれば、負荷機器を接続する人が、横方向に並ぶ各出力部を１つのグループとして見るため、横方向に沿って負荷機器を接続するように、接続順番を意識する。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００２８】
なお、第２実施形態の変形例として、上述した各グループを斜め右下に向かって延びるように平行に配置しても良い。
【００２９】
＜第３実施形態＞
次に、第３実施形態について説明する。図１３は、第３実施形態のエンジン発電機１Ｂを示した斜視図であり、図１４は、図１３に示したエンジン発電機１Ｂの正面図であり、図１５は、図１４に示したコンセント出力部４０Ｂの拡大図である。第３実施形態のエンジン発電機１Ｂは、コンセント出力部４０Ｂに設けられる視覚工夫構造以外、第１実施形態のエンジン発電機１と同様の構成であるため、対応する部位に同一の符号を付して、その詳細な説明を省略する。
【００３０】
図１５に示すように、第３実施形態の視覚工夫構造は、以下のように構成されている。即ち、横方向に並ぶ第１Ｕ相出力部ｕ１と第１Ｖ相出力部ｖ１と第１Ｗ相出力部ｗ１を１つのグループとして、このグループの番号である「Ｉ」を付けると共に、このグループの各出力部ｕ１，ｖ１，ｗ１を囲む一点鎖線Ｓ１の内側が例えば青色になるように色彩を付ける。また、横方向に並ぶ第２Ｕ相出力部ｕ２と第２Ｖ相出力部ｖ２と第２Ｗ相出力部ｗ２を１つのグループとして、このグループの番号である「II」を付けると共に、このグループの各出力部ｕ２，ｖ２，ｗ２を囲む一点鎖線Ｓ２の内側が例えば赤色になるように色彩を付ける。また、横方向に並ぶ第３Ｕ相出力部ｕ３と第３Ｖ相出力部ｖ３と第３Ｗ相出力部ｗ３を１つのグループとして、このグループの番号である「III」を付けると共に、このグループの各出力部ｕ３，ｖ３，ｗ３を囲む一点鎖線Ｓ３の内側が例えば黄色になるように色彩を付ける。また、横方向に並ぶ第４Ｕ相出力部ｕ４と第４Ｖ相出力部ｖ４と第４Ｗ相出力部ｗ４を１つのグループとして、このグループの番号である「IV」を付けると共に、このグループの各出力部ｕ４，ｖ４，ｗ４を囲む一点鎖線Ｓ４の内側が例えば緑色になるように色彩を付ける。このようにして、第３実施形態の視覚工夫構造が構成されている。
【００３１】
第３実施形態の作用効果について説明する。
第３実施形態のエンジン発電機１Ｂによれば、負荷機器を接続する人が、上述した各グループを区別して横方向に沿って負荷機器を接続するように、接続順番を意識する。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００３２】
なお、第３実施形態の変形例として、各グループの番号と色彩の両方を付けずに、何れか一方を付けても良い。また、各グループを区別するための数字は、ローマ数字以外にアラビア数字や漢数字であっても良く、また文字の順序（例えばアルファベット順）でも良く、適宜変更可能である。また、各グループを区別するための色彩は、それぞれ異なる色であれば上述した色以外にも適宜変更可能である。そして、各グループを区別するために、数字又は色彩以外に模様を付しても良い。
【００３３】
＜第４実施形態＞
次に、第４実施形態について説明する。図１６は、第４実施形態のエンジン発電機１Ｃを示した斜視図であり、図１７は、図１６に示したエンジン発電機１Ｃの正面図であり、図１８は、図１７に示したコンセント出力部４０Ｃの拡大図である。第４実施形態のエンジン発電機１Ｃは、コンセント出力部４０Ｃに設けられる視覚工夫構造以外、第１実施形態のエンジン発電機１と同様の構成であるため、対応する部位に同一の符号を付して、その詳細な説明を省略する。
【００３４】
図１８に示すように、第４実施形態の視覚工夫構造は、図９に示した第１実施形態の視覚工夫構造と図１２に示した第２実施形態の視覚工夫構造とを組み合わせたものであり、図１８から明らかであるため、詳細な説明を省略する。そして、第４実施形態のエンジン発電機１Ｃの作用効果は、第１実施形態のエンジン発電機１の作用効果と同様であるため、その説明を省略する。なお、第４実施形態の変形例として、上述した第１実施形態の変形例と第２実施形態の変形例と同様の変形例が考えられる。
【００３５】
＜第５実施形態＞
次に、第５実施形態について説明する。図１９は、第５実施形態のエンジン発電機１Ｄを示した斜視図であり、図２０は、図１９に示したエンジン発電機１Ｄの正面図であり、図２１は、図２０に示したコンセント出力部４０Ｄの拡大図である。第５実施形態のエンジン発電機１Ｄは、コンセント出力部４０Ｄに設けられる視覚工夫構造以外、第１実施形態のエンジン発電機１と同様の構成であるため、対応する部位に同一の符号を付して、その詳細な説明を省略する。
【００３６】
図２１に示すように、第５実施形態の視覚工夫構造は、図９に示した第１実施形態の視覚工夫構造と図１５に示した第３実施形態の視覚工夫構造とを組み合わせたものであり、図２１から明らかであるため、詳細な説明を省略する。そして、第５実施形態のエンジン発電機１Ｄの作用効果は、第１実施形態のエンジン発電機１の作用効果と同様であるため、その説明を省略する。なお、第５実施形態の変形例として、上述した第１実施形態の変形例と第３実施形態の変形例と同様の変形例が考えられる。
【００３７】
＜第６実施形態＞
次に、第６実施形態について説明する。図２２は、第６実施形態のエンジン発電機１Ｅを示した斜視図であり、図２３は、図２２に示したエンジン発電機１Ｅの正面図であり、図２４は、図２３に示したコンセント出力部４０Ｅの拡大図である。第６実施形態のエンジン発電機１Ｅは、コンセント出力部４０Ｅに設けられる視覚工夫構造以外、第１実施形態のエンジン発電機１と同様の構成であるため、対応する部位に同一の符号を付して、その詳細な説明を省略する。
【００３８】
図２４に示すように、第６実施形態の視覚工夫構造は、図１２に示した第２実施形態の視覚工夫構造と図１５に示した第３実施形態の視覚工夫構造とを組み合わせたものであり、図２４から明らかであるため、詳細な説明を省略する。そして、第６実施形態のエンジン発電機１Ｅの作用効果は、第２実施形態のエンジン発電機１Ａの作用効果と同様であるため、その説明を省略する。なお、第６実施形態の変形例として、上述した第２実施形態の変形例と第３実施形態の変形例と同様の変形例が考えられる。
【００３９】
＜第７実施形態＞
次に、第７実施形態について説明する。図２５は、第７実施形態のエンジン発電機１Ｆを示した斜視図であり、図２６は、図２５に示したエンジン発電機１Ｆの正面図であり、図２７は、図２６に示したコンセント出力部４０Ｆの拡大図である。第７実施形態のエンジン発電機１Ｆは、コンセント出力部４０Ｆに設けられる視覚工夫構造以外、第１実施形態のエンジン発電機１と同様の構成であるため、対応する部位に同一の符号を付して、その詳細な説明を省略する。
【００４０】
図２７に示すように、第７実施形態の視覚工夫構造は、図１２に示した第２実施形態の視覚工夫構造に加えて、横方向に並ぶ第１Ｕ相出力部ｕ１と第１Ｖ相出力部ｖ１と第１Ｗ相出力部ｗ１の下側に斜め右上に向かって延びる矢印を記載し、横方向に並ぶ第２Ｕ相出力部ｕ２と第２Ｖ相出力部ｖ２と第２Ｗ相出力部ｗ２の下側に斜め右上に向かって延びる矢印を記載し、横方向に並ぶ第３Ｕ相出力部ｕ３と第３Ｖ相出力部ｖ３と第３Ｗ相出力部ｗ３の下側に斜め右上に向かって延びる矢印を記載し、横方向に並ぶ第４Ｕ相出力部ｕ４と第４Ｖ相出力部ｖ４と第４Ｗ相出力部ｗ４の下側に斜め右上に向かって延びる矢印を記載することによって、構成されている。
【００４１】
第７実施形態の作用効果について説明する。
第７実施形態のエンジン発電機１Ｆによれば、負荷機器を接続する人が、横方向に並ぶ各出力部を１つのグループとして見るため、横方向に沿って負荷機器を接続するように、接続順番を意識する。更に、矢印によって、横方向のうち左側から右側に向かって負荷機器を接続するように意識する。これにより、例えば、４つの負荷機器に交流電力を供給しようとするときに、１つ目の負荷機器のプラグを第１Ｕ相出力部ｕ１に接続し、２つ目の負荷機器のプラグを第１Ｖ相出力部ｖ１に接続し、３つ目の負荷機器のプラグを第１Ｗ相出力部ｗ１に接続し、４つ目の負荷機器のプラグを第２Ｕ相出力部ｕ２に接続するようになる。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００４２】
なお、第７実施形態の変形例として、右側から左側に向かう矢印を記載しても良い。また、横方向に並ぶ各出力部の上側に矢印を記載しても良い。そして、上述した第２実施形態の変形例と同様の変形例が考えられる。
【００４３】
＜第８実施形態＞
次に、第８実施形態について説明する。図２８は、第８実施形態のエンジン発電機１Ｇを示した斜視図であり、図２９は、図２８に示したエンジン発電機１Ｇの正面図であり、図３０は、図２９に示したコンセント出力部４０Ｇの拡大図である。第８実施形態のエンジン発電機１Ｇは、コンセント出力部４０Ｇに設けられる視覚工夫構造以外、第１実施形態のエンジン発電機１と同様の構成であるため、対応する部位に同一の符号を付して、その詳細な説明を省略する。
【００４４】
図３０に示すように、第８実施形態の視覚工夫構造は、図１２に示した第２実施形態の視覚工夫構造と図１５に示した第３実施形態の視覚工夫構造と図２７に示した第７実施形態の視覚工夫構造とを組み合わせたものであり、図３０から明らかであるため、詳細な説明を省略する。そして、第８実施形態のエンジン発電機１Ｇの作用効果は、第２実施形態のエンジン発電機１Ａ等の作用効果と同様であるため、その説明を省略する。なお、第８実施形態の変形例として、上述した第２実施形態の変形例と第３実施形態の変形例と第７実施形態の変形例と同様の変形例が考えられる。
【００４５】
＜第９実施形態＞
次に、第９実施形態について説明する。図３１は、第９実施形態のエンジン発電機１Ｈを示した斜視図であり、図３２は、図３１に示したエンジン発電機１Ｈの正面図であり、図３３は、図３１に示したエンジン発電機１Ｈの背面図である。また、図３４は、図３１に示したエンジン発電機１Ｈの平面図であり、図３５は、図３１に示したエンジン発電機１Ｈの左側面図であり、図３６は、図３１に示したエンジン発電機１Ｈの右側面図である。そして、図３７は、図３２に示したコンセントカバー１６が閉じられた状態を示した図である。第９実施形態のエンジン発電機１Ｈは、コンセント出力部４０Ｈの各出力部の配置、及びコンセント出力部４０Ｈに設けられる視覚工夫構造以外、第１実施形態のエンジン発電機１と同様の構成であるため、対応する部位に同一の符号を付して、その詳細な説明を省略する。ここで、図３８は、第９実施形態においてＵ相とＶ相とＷ相の交流電力が流れる回路と各出力部との関係を模式的に示した図である。
【００４６】
図３８に示すように、発電機３０が発電したＵ相の交流電力が流れる回路４１Ｈには、上側で横方向に４つ並ぶ出力部が接続されている。これらの出力部を左側から右側に向かって順番に、第１Ｕ相出力部Ｕ１、第２Ｕ相出力部Ｕ２、第３Ｕ相出力部Ｕ３、第４Ｕ相出力部Ｕ４と呼ぶことにする。また、Ｖ相の交流電力が流れる回路４２Ｈには、上下の真ん中で横方向に４つ並ぶ出力部が接続されている。これら出力部を左側から右側に向かって順番に、第１Ｖ相出力部Ｖ１、第２Ｖ相出力部Ｖ２、第３Ｖ相出力部Ｖ３、第４Ｖ相出力部Ｖ４と呼ぶことにする。同様に、Ｗ相の交流電力が流れる回路４３Ｈには、下側で横方向に４つ並ぶ出力部が接続されている。これらの出力部を左側から右側に向かって順番に、第１Ｗ相出力部Ｗ１、第２Ｗ相出力部Ｗ２、第３Ｗ相出力部Ｗ３、第４Ｗ相出力部Ｗ４と呼ぶことにする。こうして、各Ｕ相出力部Ｕ１〜Ｕ４に負荷機器を接続すると、Ｕ相の交流電力が負荷機器に供給され、各Ｖ相出力部Ｖ１〜Ｖ４に負荷機器を接続すると、Ｖ相の交流電力が負荷機器に供給され、各Ｗ相出力部Ｗ１〜Ｗ４に負荷機器を接続すると、Ｗ相の交流電力が負荷機器に供給される。ここで、図３９は、図３２に示したコンセント出力部４０Ｈの拡大図である。
【００４７】
図３９に示すように、第９実施形態の視覚工夫構造は、各出力部Ｕ１〜Ｕ４、Ｖ１〜Ｖ４、Ｗ１〜Ｗ４にそれぞれ異なる数字を記載して、それら数字が縦方向に並ぶ中で下側に向かうに従って順番に大きくなり、且つ横方向に並ぶ中で右側に向かって大きくなる値であることによって、構成されている。即ち、第１Ｕ相出力部Ｕ１と第１Ｖ相出力部Ｖ１と第１Ｗ相出力部Ｗ１に順番に「１」「２」「３」が記され、第２Ｕ相出力部Ｕ２と第２Ｖ相出力部Ｖ２と第２Ｗ相出力部Ｗ２に順番に「４」「５」「６」が記され、第３Ｕ相出力部Ｕ３と第３Ｖ相出力部Ｖ３と第３Ｗ相出力部Ｗ３に順番に「７」「８」「９」が記され、第４Ｕ相出力部Ｕ４と第４Ｖ相出力部Ｖ４と第４Ｗ相出力部Ｗ４に順番に「１０」「１１」「１２」が記されている。
【００４８】
第９実施形態の作用効果について説明する。
第９実施形態のエンジン発電機１Ｈによれば、負荷機器を接続する人が、縦方向のうち下側に向かって負荷機器を接続するように、接続順番を意識する。例えば、４つの負荷機器に交流電力を供給しようとするときに、１つ目の負荷機器のプラグを第１Ｕ相出力部Ｕ１に接続し、２つ目の負荷機器のプラグを第１Ｖ相出力部Ｖ１に接続し、３つ目の負荷機器のプラグを第１Ｗ相出力部Ｗ１に接続し、４つ目の負荷機器のプラグを第２Ｕ相出力部Ｕ２に接続するようになる。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００４９】
なお、この第９実施形態の変形例として、各出力部に記載される数字が縦方向に並ぶ中で上側に向かって順番に大きくなっていても良い。又は、各出力部に記載される数字が横方向に並ぶ中で左側に向かって大きくなっていても良い。そして、各出力部に記載される数字は、アラビア数字以外にローマ数字や漢数字であっても良く、また文字の順序（例えばアルファベット順）でも良く、適宜変更可能である。
【００５０】
＜第１０実施形態＞
次に、第１０実施形態について説明する。図４０は、第１０実施形態のエンジン発電機１Ｉを示した斜視図であり、図４１は、図４０に示したエンジン発電機１Ｉの正面図であり、図４２は、図４１に示したコンセント出力部４０Ｉの拡大図である。第１０実施形態のエンジン発電機１Ｉは、コンセント出力部４０Ｉに設けられる視覚工夫構造以外、第９実施形態のエンジン発電機１Ｈと同様の構成であるため、対応する部位に同一の符号を付して、その詳細な説明を省略する。
【００５１】
図４２に示すように、第１０実施形態の視覚工夫構造は、縦方向に並ぶ第１Ｕ相出力部Ｕ１と第１Ｖ相出力部Ｖ１と第１Ｗ相出力部Ｗ１を１つのグループとし、縦方向に並ぶ第２Ｕ相出力部Ｕ２と第２Ｖ相出力部Ｖ２と第２Ｗ相出力部Ｗ２を１つのグループとし、縦方向に並ぶ第３Ｕ相出力部Ｕ３と第３Ｖ相出力部Ｖ３と第３Ｗ相出力部Ｗ３を１つのグループとし、縦方向に並ぶ第４Ｕ相出力部Ｕ４と第４Ｖ相出力部Ｖ４と第４Ｗ相出力部Ｗ４を１つのグループとして、それら各グループを斜め右下に向かって延びるように平行に配置することによって、構成されている。
【００５２】
第１０実施形態の作用効果について説明する。
第１０実施形態のエンジン発電機１Ｉによれば、負荷機器を接続する人が、縦方向に並ぶ各出力部を１つのグループとして見るため、縦方向に沿って負荷機器を接続するように、接続順番を意識する。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００５３】
なお、第１０実施形態の変形例として、上述した各グループを斜め左下に向かって延びるように平行に配置しても良い。
【００５４】
＜第１１実施形態＞
次に、第１１実施形態について説明する。図４３は、第１１実施形態のエンジン発電機１Ｊを示した斜視図であり、図４４は、図４３に示したエンジン発電機１Ｊの正面図であり、図４５は、図４４に示したコンセント出力部４０Ｊの拡大図である。第１１実施形態のエンジン発電機１Ｊは、コンセント出力部４０Ｊに設けられる視覚工夫構造以外、第９実施形態のエンジン発電機１Ｈと同様の構成であるため、対応する部位に同一の符号を付して、その詳細な説明を省略する。
【００５５】
図４５に示すように、第１１実施形態の視覚工夫構造は、以下のように構成されている。即ち、縦方向に並ぶ第１Ｕ相出力部Ｕ１と第１Ｖ相出力部Ｖ１と第１Ｗ相出力部Ｗ１を１つのグループとして、このグループの番号である「Ｉ」を付けると共に、このグループの各出力部Ｕ１，Ｖ１，Ｗ１を囲む一点鎖線Ｔ１の内側が例えば青色になるように色彩を付ける。また、縦方向に並ぶ第２Ｕ相出力部Ｕ２と第２Ｖ相出力部Ｖ２と第２Ｗ相出力部Ｗ２を１つのグループとして、このグループの番号である「II」を付けると共に、このグループの各出力部Ｕ２，Ｖ２，Ｗ２を囲む一点鎖線Ｔ２の内側が例えば赤色になるように色彩を付ける。また、縦方向に並ぶ第３Ｕ相出力部Ｕ３と第３Ｖ相出力部Ｖ３と第３Ｗ
相出力部Ｗ３を１つのグループとして、このグループの番号である「III」を付けると共
に、このグループの各出力部Ｕ３，Ｖ３，Ｗ３を囲む一点鎖線Ｔ３の内側が例えば黄色になるように色彩を付ける。また、縦方向に並ぶ第４Ｕ相出力部Ｕ４と第４Ｖ相出力部Ｖ４と第４Ｗ相出力部Ｗ４を１つのグループとして、このグループの番号である「IV」を付けると共に、このグループの各出力部Ｕ４，Ｖ４，Ｗ４を囲む一点鎖線Ｔ４の内側が例えば緑色になるように色彩を付ける。このようにして、第１１実施形態の視覚工夫構造が構成されている。
【００５６】
第１１実施形態の作用効果について説明する。
第１１実施形態のエンジン発電機１Ｊによれば、負荷機器を接続する人が、上述した各グループを区別して縦方向に沿って負荷機器を接続するように、接続順番を意識する。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００５７】
なお、第１１実施形態の変形例として、各グループの番号と色彩の両方を付けずに、何れか一方を付けても良い。また、各グループを区別するための数字は、ローマ数字以外にアラビア数字や漢数字であっても良く、また文字の順序（例えばアルファベット順）でも良く、適宜変更可能である。また、各グループを区別するための色彩は、それぞれ異なる色であれば上述した色以外にも適宜変更可能である。そして、各グループを区別するために、数字又は色彩以外に模様を付しても良い。
【００５８】
＜第１２実施形態＞
次に、第１２実施形態について説明する。図４６は、第１２実施形態のエンジン発電機１Ｋを示した斜視図であり、図４７は、図４６に示したエンジン発電機１Ｋの正面図であり、図４８は、図４７に示したコンセント出力部４０Ｋの拡大図である。第１２実施形態のエンジン発電機１Ｋは、コンセント出力部４０Ｋに設けられる視覚工夫構造以外、第９実施形態のエンジン発電機１Ｈと同様の構成であるため、対応する部位に同一の符号を付して、その詳細な説明を省略する。
【００５９】
図４８に示すように、第１２実施形態の視覚工夫構造は、図３９に示した第９実施形態の視覚工夫構造と図４２に示した第１０実施形態の視覚工夫構造とを組み合わせたものであり、図４８から明らかであるため、詳細な説明を省略する。そして、第１２実施形態のエンジン発電機１Ｋの作用効果は、第９実施形態のエンジン発電機１Ｈの作用効果と同様であるため、その説明を省略する。なお、第１２実施形態の変形例として、上述した第９実施形態の変形例と第１０実施形態の変形例と同様の変形例が考えられる。
【００６０】
＜第１３実施形態＞
次に、第１３実施形態について説明する。図４９は、第１３実施形態のエンジン発電機１Ｌを示した斜視図であり、図５０は、図４９に示したエンジン発電機１Ｌの正面図であり、図５１は、図５０に示したコンセント出力部４０Ｌの拡大図である。第１３実施形態のエンジン発電機１Ｌは、コンセント出力部４０Ｌに設けられる視覚工夫構造以外、第９実施形態のエンジン発電機１Ｈと同様の構成であるため、対応する部位に同一の符号を付して、その詳細な説明を省略する。
【００６１】
図５１に示すように、第１３実施形態の視覚工夫構造は、図３９に示した第９実施形態の視覚工夫構造と図４５に示した第１１実施形態の視覚工夫構造とを組み合わせたものであり、図５１から明らかであるため、詳細な説明を省略する。そして、第１３実施形態のエンジン発電機１Ｌの作用効果は、第９実施形態のエンジン発電機１Ｈの作用効果と同様であるため、その説明を省略する。なお、第１３実施形態の変形例として、上述した第９実施形態の変形例と第１１実施形態の変形例と同様の変形例が考えられる。
【００６２】
＜第１４実施形態＞
次に、第１４実施形態について説明する。図５２は、第１４実施形態のエンジン発電機１Ｍを示した斜視図であり、図５３は、図５２に示したエンジン発電機１Ｍの正面図であり、図５４は、図５３に示したコンセント出力部４０Ｍの拡大図である。第１４実施形態のエンジン発電機１Ｍは、コンセント出力部４０Ｍに設けられる視覚工夫構造以外、第９実施形態のエンジン発電機１Ｈと同様の構成であるため、対応する部位に同一の符号を付して、その詳細な説明を省略する。
【００６３】
図５４に示すように、第１４実施形態の視覚工夫構造は、図４２に示した第１０実施形態の視覚工夫構造と図４５に示した第１１実施形態の視覚工夫構造とを組み合わせたものであり、図５４から明らかであるため、詳細な説明を省略する。そして、第５４実施形態のエンジン発電機１Ｍの作用効果は、第１０実施形態のエンジン発電機１Ｉの作用効果と同様であるため、その説明を省略する。なお、第１４実施形態の変形例として、上述した第１０実施形態の変形例と第１１実施形態の変形例と同様の変形例が考えられる。
【００６４】
＜第１５実施形態＞
次に、第１５実施形態について説明する。図５５は、第１５実施形態のエンジン発電機１Ｎを示した斜視図であり、図５６は、図５５に示したエンジン発電機１Ｎの正面図であり、図５７は、図５６に示したコンセント出力部４０Ｎの拡大図である。第１５実施形態のエンジン発電機１Ｎは、コンセント出力部４０Ｎに設けられる視覚工夫構造以外、第９実施形態のエンジン発電機１Ｈと同様の構成であるため、対応する部位に同一の符号を付して、その詳細な説明を省略する。
【００６５】
図５７に示すように、第１５実施形態の視覚工夫構造は、図４２に示した第１０実施形態の視覚工夫構造に加えて、縦方向に並ぶ第１Ｕ相出力部Ｕ１と第１Ｖ相出力部Ｖ１と第１Ｗ相出力部Ｗ１の右側に斜め右下に向かって延びる矢印を記載し、縦方向に並ぶ第２Ｕ相出力部Ｕ２と第２Ｖ相出力部Ｖ２と第２Ｗ相出力部Ｗ２の右側に斜め右下に向かって延びる矢印を記載し、縦方向に並ぶ第３Ｕ相出力部Ｕ３と第３Ｖ相出力部Ｖ３と第３Ｗ相出力部Ｗ３の右側に斜め右下に向かって延びる矢印を記載し、縦方向に並ぶ第４Ｕ相出力部Ｕ４と第４Ｖ相出力部Ｖ４と第４Ｗ相出力部Ｗ４の右側に斜め右下に向かって延びる矢印を記載することによって、構成されている。
【００６６】
第１５実施形態の作用効果について説明する。
第１５実施形態のエンジン発電機１Ｎによれば、負荷機器を接続する人が、縦方向に並ぶ各出力部を１つのグループとして見るため、縦方向に沿って負荷機器を接続するように、接続順番を意識する。更に、矢印によって、縦方向のうち上側から下側に向かって負荷機器を接続するように意識する。これにより、例えば、４つの負荷機器に交流電力を供給しようとするときに、１つ目の負荷機器のプラグを第１Ｕ相出力部Ｕ１に接続し、２つ目の負荷機器のプラグを第１Ｖ相出力部Ｖ１に接続し、３つ目の負荷機器のプラグを第１Ｗ相出力部Ｗ１に接続し、４つ目の負荷機器のプラグを第２Ｕ相出力部Ｕ２に接続するようになる。このため、或る１相の出力部に複数の負荷機器が偏って接続されることがなく、発電した各相の交流電力をバランス良く取出すことができる。この結果、発電機３０の発電容量を十分に使用できない事態を防止できると共に、Ｕ相とＶ相とＷ相の各電圧がアンバランスになって発電機３０の使用に支障が出ることを防止できる。
【００６７】
なお、第１５実施形態の変形例として、下側から上側に向かう矢印を記載しても良い。また、縦方向に並ぶ各出力部の左側に矢印を記載しても良い。そして、上述した第１０実施形態の変形例と同様の変形例が考えられる。
【００６８】
＜第１６実施形態＞
次に、第１６実施形態について説明する。図５８は、第１６実施形態のエンジン発電機１Ｐを示した斜視図であり、図５９は、図５８に示したエンジン発電機１Ｐの正面図であり、図６０は、図５９に示したコンセント出力部４０Ｐの拡大図である。第１６実施形態のエンジン発電機１Ｐは、コンセント出力部４０Ｐに設けられる視覚工夫構造以外、第９実施形態のエンジン発電機１Ｈと同様の構成であるため、対応する部位に同一の符号を付して、その詳細な説明を省略する。
【００６９】
図６０に示すように、第１６実施形態の視覚工夫構造は、図３９に示した第９実施形態の視覚工夫構造と図５４に示した第１４実施形態の視覚工夫構造と図５７に示した第１５実施形態の視覚工夫構造とを組み合わせたものであり、図６０から明らかであるため、詳細な説明を省略する。そして、第１６実施形態のエンジン発電機１Ｐの作用効果は、第９実施形態のエンジン発電機１Ｈ等の作用効果と同様であるため、その説明を省略する。なお、第１６実施形態の変形例として、上述した第９実施形態の変形例と第１４実施形態の変形例と第１５実施形態の変形例と同様の変形例が考えられる。
【００７０】
以上、本発明に係るエンジン発電機の各実施形態について説明したが、本発明はこれに限定されることなく、その趣旨を逸脱しない範囲で様々な変更が可能である。
例えば、第１〜第８実施形態において、Ｕ相出力部（第１〜第４Ｕ相出力部ｕ１〜ｕ４）とＶ相出力部（第１〜第４Ｖ相出力部ｖ１〜ｖ４）とＷ相出力部（第１〜第４Ｗ相出力部ｗ１〜ｗ４）がそれぞれ４つの出力部を縦方向に並べているが、Ｕ相出力部とＶ相出力部とＷ相出力部が縦方向に並べる出力部の数は３つ又は５つ以上であっても良い。
また、第１〜第８実施形態において、コンセント出力部では、横方向に３つの出力部（Ｕ相出力部とＶ相出力部とＷ相出力部）が並んでいるが、Ｕ相出力部とＶ相出力部とＷ相出力部のうち何れか２つの出力部が横方向に並んでいても良い。
また、第９〜第１６実施形態において、Ｕ相出力部（第１〜第４Ｕ相出力部Ｕ１〜Ｕ４）とＶ相出力部（第１〜第４Ｖ相出力部Ｖ１〜Ｖ４）とＷ相出力部（第１〜第４Ｗ相出力部Ｗ１〜Ｗ４）がそれぞれ４つの出力部を横方向に並べているが、Ｕ相出力部とＶ相出力部とＷ相出力部が横方向に並べる出力部の数は３つ又は５つ以上であっても良い。
また、第９〜第１６実施形態において、コンセント出力部では、縦方向に３つの出力部（Ｕ相出力部とＶ相出力部とＷ相出力部）が並んでいるが、Ｕ相出力部とＶ相出力部とＷ相出力部のうち何れか２つの出力部が縦方向に並んでいても良い。
また、各実施形態において、コンセント出力部がケーシング１０の正面板１１の左側に配置されているが、正面板１１の右側に配置されていても良く、正面板１１で配置される位置は適宜変更可能である。また、コンセント出力部が、正面板１１以外に、背面板１２、天井板１３、左側面板１４、右側面板１５に配置されていても良い。
【符号の説明】
【００７１】
１、１Ａ〜１Ｎ、１Ｐ                エンジン発電機
１０                                ケーシング
１１                                正面板
２０                                エンジン
３０                                発電機
４０、４０Ａ〜４０Ｎ、４０Ｐ        コンセント出力部
ｕ１、Ｕ１                          第１Ｕ相出力部
ｕ２、Ｕ２                          第２Ｕ相出力部
ｕ３、Ｕ３                          第３Ｕ相出力部
ｕ４、Ｕ４                          第４Ｕ相出力部
ｖ１、Ｖ１                          第１Ｖ相出力部
ｖ２、Ｖ２                          第２Ｖ相出力部
ｖ３、Ｖ３                          第３Ｖ相出力部
ｖ４、Ｖ４                          第４Ｖ相出力部
ｗ１、Ｗ１                          第１Ｗ相出力部
ｗ２、Ｗ２                          第２Ｗ相出力部
ｗ３、Ｗ３                          第３Ｗ相出力部
ｗ４、Ｗ４                          第４Ｗ相出力部
【図１】
2014168339.tif 000003
【図２】
2014168339.tif 000004
【図３】
2014168339.tif 000005
【図４】
2014168339.tif 000006
【図５】
2014168339.tif 000007
【図６】
2014168339.tif 000008
【図７】
2014168339.tif 000009
【図８】
2014168339.tif 000010
【図９】
2014168339.tif 000011
【図１０】
2014168339.tif 000012
【図１１】
2014168339.tif 000013
【図１２】
2014168339.tif 000014
【図１３】
2014168339.tif 000015
【図１４】
2014168339.tif 000016
【図１５】
2014168339.tif 000017
【図１６】
2014168339.tif 000018
【図１７】
2014168339.tif 000019
【図１８】
2014168339.tif 000020
【図１９】
2014168339.tif 000021
【図２０】
2014168339.tif 000022
【図２１】
2014168339.tif 000023
【図２２】
2014168339.tif 000024
【図２３】
2014168339.tif 000025
【図２４】
2014168339.tif 000026
【図２５】
2014168339.tif 000027
【図２６】
2014168339.tif 000028
【図２７】
2014168339.tif 000029
【図２８】
2014168339.tif 000030
【図２９】
2014168339.tif 000031
【図３０】
2014168339.tif 000032
【図３１】
2014168339.tif 000033
【図３２】
2014168339.tif 000034
【図３３】
2014168339.tif 000035
【図３４】
2014168339.tif 000036
【図３５】
2014168339.tif 000037
【図３６】
2014168339.tif 000038
【図３７】
2014168339.tif 000039
【図３８】
2014168339.tif 000040
【図３９】
2014168339.tif 000041
【図４０】
2014168339.tif 000042
【図４１】
2014168339.tif 000043
【図４２】
2014168339.tif 000044
【図４３】
2014168339.tif 000045
【図４４】
2014168339.tif 000046
【図４５】
2014168339.tif 000047
【図４６】
2014168339.tif 000048
【図４７】
2014168339.tif 000049
【図４８】
2014168339.tif 000050
【図４９】
2014168339.tif 000051
【図５０】
2014168339.tif 000052
【図５１】
2014168339.tif 000053
【図５２】
2014168339.tif 000054
【図５３】
2014168339.tif 000055
【図５４】
2014168339.tif 000056
【図５５】
2014168339.tif 000057
【図５６】
2014168339.tif 000058
【図５７】
2014168339.tif 000059
【図５８】
2014168339.tif 000060
【図５９】
2014168339.tif 000061
【図６０】
2014168339.tif 000062
【図６１】
2014168339.tif 000063